(57)【要約】【課題】部品セット中の部品の不足や正誤を極めて容易に確認することができる部品セットを提供する。【解決手段】部品セット１は、複数の部品２１，２２，２３・・・と、複数の部品２１，２２，２３・・・に関する複数の情報１０１，１０２，１０３・・・が表示されたシート１０と、を備える。複数の部品２１，２２，２３・・・はそれぞれ、複数の情報１０１，１０２，１０３・・・のうちの対応する情報に隣り合うか又は重なる状態でシート１０上に保持されている。【選択図】図１
2018052552.tif 000002
【特許請求の範囲】
【請求項１】
複数の部品と、
前記複数の部品に関する複数の情報が表示されたシートと、を備え、
前記複数の部品はそれぞれ、前記複数の情報のうちの対応する情報に隣り合うか又は重なる状態で前記シート上に保持されている、ことを特徴とする部品セット。
【請求項２】
前記シートには、前記複数の情報のうちの少なくともいずれかの情報を取り囲む線が表示されており、
前記線は、取り囲んだ前記情報に対応する部品が保持される保持領域を画定している、ことを特徴とする請求項１に記載の部品セット。
【請求項３】
前記複数の情報はそれぞれ、部品に対応する図柄、部品の名称、部品の型番、及び部品の寸法情報のうちの少なくともいずれかを含む、ことを特徴とする請求項１又は２に記載の部品セット。
【請求項４】
前記複数の情報のうちの少なくともいずれかの情報が、部品の個数をさらに含み、
前記複数の部品のうちの、前記部品の個数を表示する前記情報に対応する部品は、前記部品の個数によって示される数で、前記シート上に保持されている、ことを特徴とする請求項３に記載の部品セット。
【請求項５】
前記部品の寸法情報は、部品の最大長さと同等の大きさの目盛りである、ことを特徴とする請求項３に記載の部品セット。
【請求項６】
前記目盛りは、第１方向における部品の最大長さと同等の大きさの第１目盛りと、前記第１方向に直交する第２方向における部品の最大長さと同等の大きさの第２目盛りと、を含む、ことを特徴とする請求項５に記載の部品セット。
【請求項７】
前記シート及び前記複数の部品を一体的に覆う透明のフィルムをさらに備え、
前記複数の部品は、前記フィルムと前記シートとに挟み込まれた状態で保持されている、ことを特徴とする請求項１乃至６のいずれかに記載の部品セット。
【請求項８】
前記複数の部品のうちの少なくともいずれかの部品が、ケースに収容され、
前記ケースが、前記フィルムと前記シートとに挟み込まれた状態で保持されている、ことを特徴とする請求項７に記載の部品セット。
【請求項９】
前記ケースに収容された前記部品は、バネである、ことを特徴とする請求項８に記載の部品セット。
【請求項１０】
前記シートには、前記部品セットの納入先の情報及び前記部品セットが用いられる装置の情報のうちの少なくともいずれかがさらに表示されている、ことを特徴とする請求項１乃至９のいずれかに記載の部品セット。
【請求項１１】
複数の部品を含む部品セットの作成方法であって、
シートに、前記複数の部品に関する複数の情報を形成する情報形成工程と、
前記複数の部品をそれぞれ、前記複数の情報のうちの対応する情報に隣り合うか又は重なる状態で前記シート上に保持する保持工程と、を備える、ことを特徴とする部品セットの作成方法。
【発明の詳細な説明】
【技術分野】
【０００１】
本発明は、部品セット及びその作成方法に関する。
【背景技術】
【０００２】
定期的に部品を交換することが求められる製品のサプライヤは、ユーザからの発注に応じて、部品交換用の部品セットを作成する場合がある。サプライヤが作成する部品セットは、製品によっては、非常に多くの部品を含む。例えば、鉄道車両用部品であるエアブレーキでは、定期的な部品交換が必要であり、通常、部品交換用のその部品セットに、非常に多くの部品が含まれている。
【０００３】
部品セット中の部品が多いほど、サプライヤの確認や梱包の作業が煩雑となり、ユーザ側においても開封や確認の作業が煩雑となる。このような点に鑑みて、複数の部品の取り扱いの利便性を向上させるための技術が従来から数多く提案されている（例えば、特許文献１）。
【先行技術文献】
【特許文献】
【０００４】
【特許文献１】特開２００３−１２２９７４号公報
【発明の概要】
【発明が解決しようとする課題】
【０００５】
一般的な部品セットは、例えば、個別に袋詰めされた複数の部品を箱等に梱包することにより構成される。しかしながら、このような態様では、部品の過不足や正誤の確認の際に、部品を箱等から取り出して目視する必要がある。そのため、サプライヤ及びユーザの双方の作業負担が非常に大きくなっていた。
【０００６】
本発明は、上記実情を考慮してなされたものであって、部品セット中の部品の不足や正誤を極めて容易に確認することができる部品セット及びその作成方法を提供することを目的とする。
【課題を解決するための手段】
【０００７】
本発明は、複数の部品と、前記複数の部品に関する複数の情報が表示されたシートと、を備え、前記複数の部品はそれぞれ、前記複数の情報のうちの対応する情報に隣り合うか又は重なる状態で前記シート上に保持されている、ことを特徴とする部品セット、である。
【０００８】
前記シートには、前記複数の情報のうちの少なくともいずれかの情報を取り囲む線が表示されており、前記線は、取り囲んだ前記情報に対応する部品が保持される保持領域を画定していてもよい。
【０００９】
前記複数の情報はそれぞれ、部品に対応する図柄、部品の名称、部品の型番、及び部品の寸法情報のうちの少なくともいずれかを含んでいてもよい。
【００１０】
前記複数の情報のうちの少なくともいずれかの情報が、部品の個数をさらに含み、前記複数の部品のうちの、前記部品の個数を表示する前記情報に対応する部品は、前記部品の個数によって示される数で、前記シート上に保持されていてもよい。
【００１１】
前記部品の寸法情報は、部品の最大長さと同等の大きさの目盛りであってもよい。
この場合、前記目盛りは、第１方向における部品の最大長さと同等の大きさの第１目盛りと、前記第１方向に直交する第２方向における部品の最大長さと同等の大きさの第２目盛りと、を含んでいてもよい。
【００１２】
また、本発明に係る部品セットは、前記シート及び前記複数の部品を一体的に覆う透明のフィルムをさらに備え、前記複数の部品は、前記フィルムと前記シートとに挟み込まれた状態で保持されていてもよい。
【００１３】
また、前記複数の部品のうちの少なくともいずれかの部品が、ケースに収容され、前記ケースが、前記フィルムと前記シートとに挟み込まれた状態で保持されていてもよい。
この場合、前記ケースに収容された前記部品は、バネであってもよい。
【００１４】
また、前記シートには、前記部品セットの納入先の情報及び前記部品セットが用いられる装置の情報のうちの少なくともいずれかがさらに表示されていてもよい。
【００１５】
また、本発明は、複数の部品を含む部品セットの作成方法であって、シートに、前記複数の部品に関する複数の情報を形成する情報形成工程と、前記複数の部品をそれぞれ、前記複数の情報のうちの対応する情報に隣り合うか又は重なる状態で前記シート上に保持する保持工程と、を備える、ことを特徴とする部品セットの作成方法、である。
【発明の効果】
【００１６】
本発明によれば、部品セット中の部品の不足や正誤を極めて容易に確認することができる部品セットを提供することができる。
【図面の簡単な説明】
【００１７】
【図１】本発明の一実施の形態にかかる部品セットを示す図である。
【図２】図１に示す部品セットを構成するシートを示す図である。
【図３】（Ａ）〜（Ｅ）は、図１に示す部品セットの作成方法の各工程を示す図である。
【発明を実施するための形態】
【００１８】
以下、図面を参照しながら本発明の一実施の形態について説明する。図１は、本発明の一実施の形態にかかる部品セット１を示す図である。図２は、部品セット１を構成するシート１０を示す図である。図３（Ａ）〜（Ｅ）は、部品セット１の作成方法の各工程を示す図である。
【００１９】
図１に示すように、本実施の形態に係る部品セット１は、複数の部品２１,２２,２３・・・と、その表面上に複数の部品２１,２２,２３・・・が配置されるシート１０と、シート１０及びシート１０上の複数の部品２１,２２,２３・・・を一体的に覆う透明のフィルム３０と、を備えている。シート１０には、複数の部品２１,２２,２３・・・に関する複数の情報１０１，１０２，１０３・・・が表示され、複数の部品２１,２２,２３・・・はそれぞれ、複数の情報１０１，１０２，１０３・・・のうちの対応する情報に隣り合うか又は重なる状態でシート１０上に保持されている。
【００２０】
シート１０は、厚紙や、プラスチック等の薄板或いは薄膜状の部材であり、図示の例では、矩形状である。シート１０の材質は、特に限定されるものでなく、その形状も、特に限定されるものではない。またシート１０のサイズも、特に限定されるものではない。ただし、シート１０のサイズを、Ａ３（２９７ｍｍ×４２０ｍｍ）、Ａ４（２１０ｍｍ×２９７ｍｍ）等の所定の規格に準拠したサイズとすることにより、その管理を行い易くなる。また、複数の部品セット１が作成される場合には、管理の利便性や効率的な保管を考慮すると、シート１０のサイズをＡ３，Ａ４等のサイズに統一することが好ましい。
【００２１】
図示の複数の部品２１，２２，２３・・・は、弁部材２１、第１Ｏリング２２、第１パッキン２３、第２Ｏリング２４、ダイヤフラム２５、第１バネ２６、第２バネ２７、第１Ｃ型止め輪２８、リングガスケット２９等を含む。このうち、第２バネ２７は、ケース２７Ａに収容されている。外力によって変形し易いバネ等の部品は、第２バネ２７のように、ケースに収容してもよい。なお、本実施の形態では、これら複数の部品２１，２２，２３・・・が、一例として鉄道車両用部品であるエアブレーキの交換用の部品となっているが、他の用途の部品群であってもよいことは言うまでもない。
【００２２】
フィルム３０は、フィルム３０を通してシート１０上の部品を視認できる程度の透視性を有する材料で構成されている。したがって、「透明」は、フィルム３０を通してシート１０上の部品を視認できる程度の半透明も含む概念である。フィルム３０は、軟質の樹脂フィルムであり、空気引きされることにより、複数の部品２１，２２，２３・・・をシート１０に向けて押し付けている。これにより、フィルム３０は、第２バネ２７以外の部品を直接的にシート１０に押し付けて、これらをシート１０上に保持している。また第２バネ２７は、ケース２７Ａがフィルム３０とシート１０とに挟み込まれることで、シート１０に保持されている。
【００２３】
図２は、複数の部品が保持される前のシート１０を示す。本実施の形態における複数の情報１０１，１０２，１０３・・・はそれぞれ、部品に対応する図柄、部品の名称、部品の型番、及び部品の寸法情報のうちの少なくともいずれかを含んでいる。以下では、複数の情報１０１，１０２，１０３・・・について図２を参照しつつ詳述する。
【００２４】
情報１０１は、弁部材２１に関する情報である。情報１０１には、図柄１０１Ａ、名称１０１Ｂ、型番１０１Ｃ、個数１０１Ｅ、使用箇所の情報１０１Ｆと、が含まれている。図柄１０１Ａは、弁部材２１と同一サイズの弁部材２１の図柄になっている。名称１０１Ｂは、図示の例では「ＣＰ弁」と表示されている。型番１０１Ｃは、記号又は文字の羅列によって構成されている。
【００２５】
また個数１０１Ｅは、情報１０１に対応する部品の必要個数、及び、シート１０上に保持された情報１０１に対応する、部品の個数を表示するための情報である。図示の例では、個数１０１Ｅが、「１」を表示しているため、弁部材２１が、一つ必要であること、及び、一つ保持されていることが示されている。よって、図１に示すように、シート１０上には、一つの弁部材２１が情報１０１に隣り合うか又は重なる状態で保持されている。また、使用箇所の情報１０１Ｆは、情報１０１に対応する部品の使用箇所を意味し、図示の例では「供給」という文言によって使用箇所を示している。
【００２６】
情報１０２は、第１Ｏリング２２に関する情報である。情報１０２には、名称１０２Ｂと、型番１０２Ｃと、寸法情報１０２Ｄと、個数１０２Ｅ、使用箇所の情報１０２Ｆと、が含まれている。名称１０２Ｂは、図示の例では「Ｏリング」と表示されている。型番１０２Ｃは、記号又は文字の羅列によって構成されている。また、個数１０２Ｅは、「１」を表示している。よって、図１に示すように、一つの第１Ｏリング２２が、シート１０上に、情報１０２に隣り合うか又は重なる状態で保持されている。また、使用箇所の情報１０２Ｆは、記号又は文字の羅列により使用箇所を示している。
【００２７】
寸法情報１０２Ｄは、本実施の形態では、部品の最大長さと同等の大きさの目盛りとなっている。すなわち、この寸法情報１０２Ｄは、第１Ｏリング２２の寸法を直接的には示していない。図中の目盛りとして構成された寸法情報１０２Ｄは、第１方向Ｄ１における部品の最大長さ、すなわち第１Ｏリング２２の直径と同等の大きさの第１目盛り１０２Ｄ１と、第１方向Ｄ１に直交する第２方向Ｄ２における部品の最大長さ、すなわち第１Ｏリング２２の直径と同等の大きさの第２目盛り１０２Ｄ２と、を含んでいる。なお、第１方向Ｄ１は、シート１０の長手方向と平行な方向であり、第２方向Ｄ２は、シート１０の短手方向と平行な方向である。
【００２８】
図示の例においては、第１目盛り１０２Ｄ１の一端の近傍から第２目盛り１０２Ｄ２が延びている。しかしながら、目盛りの構成は、このような態様に限定されるものではなく、例えば、第１目盛り１０２Ｄ１が第２目盛り１０２Ｄ２と交差していてもよい。また、目盛りにおいて、互いに対向する一対の第１目盛り１０２Ｄ１と、互いに対向する一対の第２目盛り１０２Ｄ２とが、矩形状の領域を画定してもよい。この場合、画定された領域の内部にグリット状の目盛りがさらに設けられてもよい。また部品の最大長さと同等の大きさの目盛りは、その長さに基づいて対応する部品の特定が容易になるのであれば、部品の最大長さに比較して、小さくてもよいし、大きくてもよい。具体的には、目盛りのサイズが、部品の最大長さの９０％以上１１０％以下であってもよい。なお、目盛りのサイズは、部品の最大長さの９５％以上１０５％以下であることがより好ましい。この場合には、目盛りから特定される部品の誤認を効果的に抑制できる。ただし、部品の誤認を確実に抑制するためには、目盛りのサイズと部品の最大長さとが同じであることが、さらに好ましい。
【００２９】
情報１０３は、第１パッキン２３に関する情報である。情報１０３には、図柄１０３Ａと、名称１０３Ｂと、型番１０３Ｃと、個数１０３Ｅと、使用箇所の情報１０３Ｆと、が含まれている。図柄１０３Ａは、図示の例において、第１パッキン２３と同一サイズの環状の輪の図柄になっている。名称１０３Ｂは、図示の例では「パッキン」と表示されている。型番１０３Ｃは、記号又は文字の羅列によって構成されている。また、個数１０３Ｅは、「１」を表示している。よって、図１に示すように、一つの第１パッキン２３が、シート１０上に、情報１０３に隣り合うか又は重なる状態で保持されている。また、使用箇所の情報１０３Ｆは、記号又は文字の羅列により使用箇所を示している。
【００３０】
情報１０５は、ダイヤフラム２５に関する情報である。情報１０５には、図柄１０５Ａと、名称１０５Ｂと、型番１０５Ｃと、寸法情報１０５Ｄと、個数１０５Ｅと、が含まれている。図柄１０５Ａは、図示の例において、ダイヤフラム２５と同一サイズのダイヤフラムの図柄になっている。名称１０５Ｂは、図示の例では「ダイヤフラム」と表示されている。型番１０５Ｃは、記号又は文字の羅列によって構成されている。寸法情報１０５Ｄは、ダイヤフラム２５の寸法を直接的に表示する態様となっている。また、個数１０５Ｅは、「１」を表示している。よって、図１に示すように、一つのダイヤフラム２５が、シート１０上に、情報１０５に隣り合うか又は重なる状態で保持されている。
【００３１】
また、情報１０９は、リングガスケット２９に関する情報である。情報１０９には、図柄１０９Ａと、名称１０９Ｂと、型番１０９Ｃと、個数１０９Ｅと、が含まれている。図柄１０９Ａは、図示の例において、リングガスケット２９と同一サイズの輪の図柄になっている。名称１０９Ｂは、図示の例では「リングガスケット」と表示されている。型番１０９Ｃは、記号又は文字の羅列によって構成されている。また個数１０９Ｅは、「３」を表示している。この場合、本実施の形態では、情報１０９に対応するリングガスケット２９が、三つ必要であること、及び、三つ保持されていることを意味することになる。よって、図１に示すように、シート１０上には、同種の三つのリングガスケット２９が情報１０９に隣り合うか又は重なる状態で保持されている。またシート１０上においては、個数１０９Ｅが、「３」を表示するのに応じて、図柄１０９Ａが三つ表示されている。
【００３２】
なお、以上に説明した情報以外の情報の説明は省略するが、その他の情報も、部品に対応する図柄、部品の名称、部品の型番、及び部品の寸法情報のうちの少なくともいずれかを含み、且つ追加的に、部品の個数、部品の使用箇所の情報等を含んでいる。
【００３３】
次に、図２を参照しつつ、複数の情報１０１，１０２，１０３・・・の他にシート１０上に表示される要素について説明する。シート１０には、図２に示すように、上述の複数の部品２１，２２，２３・・・の保持領域を画定する線Ｌがさらに表示されている。線Ｌは、複数の情報１０１，１０２，１０３・・・のそれぞれを取り囲んでおり、取り囲んだ情報に対応する部品が保持される保持領域を画定している。図２に示すように、例えば、線Ｌによって画定される弁部材２１の保持領域１１の内側には、弁部材２１に対応する情報１０１が表示されている。
【００３４】
また図２に示すように、シート１０には、部品セット１の納入先の情報１１０及び部品セット１が用いられる装置の情報１１１さらに表示されている。このような納入先の情報１１０及び装置の情報１１１は、いずれか一方のみが表示されてもよいし、いずれも表示されなくてもよい。
【００３５】
以下では、図３を参照しつつ、本実施の形態に係る部品セット１の作成方法を説明する。
【００３６】
まず、図３（Ａ）に示すように、シート１０が準備される。ここで準備されるシート１０には、上述した複数の部品の情報１０１，１０２，１０３・・・が表示されていない。次いで、図３（Ｂ）に示すように、シート１０に複数の部品２１，２２，２３・・・に関する複数の情報１０１，１０２，１０３・・・を形成する情報形成工程が行われる。本実施の形態では、シート１０に対して情報１０１，１０２，１０３・・・、線Ｌ、納入先の情報１１０及び装置の情報１１１が印刷される。
【００３７】
次いで、図３（Ｃ）に示すように、複数の部品２１，２２，２３・・・をそれぞれ、対応する情報１０１，１０２，１０３・・・に隣り合うか又は重なる状態でシート１０上に配置する配置工程が行われる。その後、図３（Ｄ）に示すように、複数の部品２１，２２，２３・・・をシート１０上に保持する保持工程が行われる。本実施の形態では、シート１０及びその上の複数の部品２１，２２，２３・・・を、袋状のフィルム３０で一体的に覆い、フィルム３０を空気引きして、複数の部品２１，２２，２３・・・をシート１０に向けて押し付ける。これにより、複数の部品２１，２２，２３・・・が、フィルム３０とシート１０とに挟み込まれる状態で保持される。これにより、図３（Ｅ）に示すように、シート１０上に複数の部品２１，２２，２３・・・が保持された部品セット１が作成される。なお、フィルム３０による包装は、公知の包装機によって行うことができる。
【００３８】
なお、上述の保持工程において、シート１０及びその上の複数の部品２１，２２，２３・・・を、袋状のフィルム３０で一体的に覆う際、複数の部品２１，２２，２３・・・上に、緩衝材を部分的に又は全体的に配置してもよいし、複数の部品２１，２２，２３・・・を緩衝材によって覆ってもよい。そして、フィルム３０を空気引きして、フィルム３０が、緩衝材を介して複数の部品２１，２２，２３・・・をシート１０に向けて押し付けてもよい。この場合、複数の部品２１，２２，２３をシート１０とは反対側から緩衝材によって保護できる。とりわけ、部品を緩衝材によって覆った場合には、シート１０側及びシート１０とは反対側の両方から部品を保護できる。また、複数の部品２１，２２，２３の保持が容易になり、保持状態を安定させることができる。また、鋭利な部品によってフィルム３０が破損するのを抑制することができる。このような緩衝材は、透明又は半透明の部材であることが好ましく、例えばフィルム状の気泡入り緩衝剤であってもよい。
【００３９】
以上に説明した本実施の形態に係る部品セット１は、複数の部品２１，２２，２３・・・と、複数の部品２１，２２，２３・・・に関する複数の情報１０１，１０２，１０３・・・が表示されたシート１０と、を備え、複数の部品２１，２２，２３・・・はそれぞれ、複数の情報１０１，１０２，１０３・・・のうちの対応する情報に隣り合うか又は重なる状態でシート１０上に保持されている。このような部品セット１によれば、シート１０上の部品２１，２２，２３・・・と、部品２１，２２，２３・・・が隣り合うか又は重なるシート１０上の情報１０１，１０２，１０３・・・と、を比較することで、部品２１，２２，２３・・・に触れることなく、その不足及び正誤を目視にて確認することが可能となる。これにより、部品セット１中の部品２１，２２，２３・・・の不足や正誤を極めて容易に確認することができる。
【００４０】
また、複数の部品２１，２２，２３・・・をシート１０上に保持するための作業をシート１０上の情報１０１，１０２，１０３・・・を確認しながら行うことができ、必要な部品２１，２２，２３・・・を正確に且つ効率的に準備することができる。また、シート１０上に複数の部品２１，２２，２３・・・が配置されることで部品セット１の厚みを抑制することができ、保管時の占有スペースを抑制することができる。とりわけ、複数の部品セット１の間でシート１０の大きさを統一した場合には、効率的に部品セット１を保管することができる。
【００４１】
さらに、シート１０上に表示される情報１０１，１０２，１０３・・・のレイアウトは、特に印刷を利用することで、ユーザの意向に応じて容易に変更可能である。そのため、ユーザにとって利便性の高い部品セット１を容易に提供することが可能となる。また、部品セット１のユーザは、次に部品セット１が必要となった場合に、シート１０上に表示された情報１０１，１０２，１０３・・・を活用することで、部品の発注忘れを回避することもできる。
【００４２】
また、シート１０には、複数の情報１０１，１０２，１０３・・・のうちの少なくとも一つの情報（本実施の形態では全ての情報）を取り囲む線Ｌがさらに表示されている。そして、線Ｌは、取り囲んだ情報に対応する部品が保持される保持領域を画定している。これにより、線Ｌによって取り囲まれた部品と情報とを視覚的に認識し易くなり、部品２１，２２，２３・・・の不足及び正誤の確認作業を効率的に行うことができる。また、部品の情報１０１，１０２，１０３・・・を取り囲む線Ｌを目印にして、部品を所望の位置に配置できるため、複数の部品２１，２２，２３・・・をシート１０上に保持するための作業を効率的に行うことができる。
【００４３】
また、本実施の形態では、複数の情報１０１，１０２，１０３・・・がそれぞれ、部品に対応する図柄、部品の名称、部品の型番、及び部品の寸法情報のうちの少なくともいずれかを含む。これにより、部品２１，２２，２３・・・の不足及び正誤の確認作業を行い易くなるとともに、部品２１，２２，２３・・・をシート１０上に保持するための作業を行い易くなる。
【００４４】
また、本実施の形態における複数の情報１０１，１０２，１０３・・・は、部品の個数をさらに含んでいる。そして複数の情報１０１，１０２，１０３・・・に対応する各部品はそれぞれ、表示される部品の個数と一致する数で、対応する情報に隣り合うか又は重なる状態で、シート１０上に保持されている。これによれば、部品の過不足の確認を容易に行うことができる。
【００４５】
また、本実施の形態における情報１０１，１０２，１０３・・・には、部品の寸法情報として、部品の最大長さと同等の大きさの目盛りを表示するものがある。具体的には、第１Ｏリングの情報１０２における寸法情報１０２Ｄが、このような態様を有する。この場合、部品の情報としての目盛りを基準に、対応する部品を特定することができる。また、寸法情報１０２Ｄとしての目盛りは、第１方向Ｄ１における第１Ｏリング２２の最大長さ（直径）と同等の大きさの第１目盛り１０２Ｄ１と、第１方向Ｄ１に直交する第２方向Ｄ２における第１Ｏリング２２の最大長さ（直径）と同等の大きさの第２目盛り１０２Ｄ２と、を含む。これにより、二つの目盛り１０２Ｄ１，１０２Ｄ２を基準に、対応する部品を特定することができるため、部品を準備する際の作業効率を向上させることができる。
【００４６】
また、本実施の形態では、部品セット１が、シート１０及び複数の部品２１，２２，２３・・・を一体的に覆う透明のフィルム３０をさらに備えている。そして、複数の部品２１，２２，２３・・・は、フィルム３０とシート１０とに挟み込まれた状態で保持されている。この場合、フィルム３０が複数の部品２１，２２，２３・・・を一体的に覆ってシート１０上に保持することで、複数の部品２１，２２，２３・・・を安定した状態で保持することができる。また、シート１０上に安定した状態で保持された部品２１，２２，２３・・・を、フィルム３０を通して目視できるため、フィルム３０によって、部品の不足及び正誤の確認作業等の作業性が損なわれることがない。また、複数の部品２１，２２，２３・・・を個別に袋で覆う場合に比較して、包装体の量を抑制できるため、作成コストを抑制できる。
【００４７】
また、複数の部品２１，２２，２３・・・には、ケースに収容されたものがある。具体的には、第２バネ２７がケース２７Ａに収容されており、このケース２７Ａは、フィルム３０とシート１０とに挟み込まれた状態で保持されている。これによれば、フィルム３０の圧力からケース２７Ａ内の第２バネ２７を保護することできるため、フィルム３０によって、第２バネ２７に不所望な変形等が生じることを抑制できる。
【００４８】
また、本実施の形態では、シート１０に、部品セット１の納入先の情報１１０及び部品セット１が用いられる装置の情報１１１がさらに表示されている。これにより、シート１０上の納入先の情報１１０及び装置の情報１１１を確認することで、部品セット１の取り違えを抑制することができる。
【００４９】
以上、本発明の実施の形態を説明したが、本発明は上述の実施の形態に限定されるものではなく、上述の実施の形態においては、各種の変更が行われてもよい。例えば、上述の実施の形態では、鉄道車両用部品としてのエアブレーキの交換用の部品セットを示したが、本発明に係る部品セットは、他の製品においても適用可能である。
【符号の説明】
【００５０】
１…部品セット
１０…シート
１１…保持領域
２１…弁部材（部品）
２２…第１Ｏリング（部品）
２３…第１パッキン（部品）
２４…第２Ｏリング（部品）
２５…ダイヤフラム（部品）
２６…第１バネ（部品）
２７…第２バネ（部品）
２７Ａ…ケース
２８…第１Ｃ型止め輪（部品）
２９…リングガスケット（部品）
３０…フィルム
１０１…弁部材の情報
１０１Ａ…図柄
１０１Ｂ…名称
１０１Ｃ…型番
１０１Ｅ…個数
１０１Ｆ…使用箇所の情報
１０２…第１Ｏリングの情報
１０２Ｂ…名称
１０２Ｃ…型番
１０２Ｄ…寸法情報
１０２Ｄ１…第１目盛り
１０２Ｄ２…第２目盛り
１０２Ｅ…個数
１０２Ｆ…使用箇所の情報
１０３…第１パッキンの情報
１０３Ａ…図柄
１０３Ｂ…名称
１０３Ｃ…型番
１０３Ｅ…個数
１０３Ｆ…使用箇所の情報
１０５…ダイヤフラムの情報
１０５Ａ…図柄
１０５Ｂ…名称
１０５Ｃ…型番
１０５Ｄ…寸法情報
１０５Ｅ…個数
１０９…リングガスケットの情報
１０９Ａ…図柄
１０９Ｂ…名称
１０９Ｃ…型番
１０９Ｅ…個数
１１０…納入先の情報
１１１…装置の情報
線…Ｌ
【図１】
2018052552.tif 000003
【図２】
2018052552.tif 000004
【図３】
2018052552.tif 000005